(57)【要約】【課題】各画素のスイッチング素子やその周辺回路に要求される耐圧を低く抑えることができ、スイッチング素子の小型化を可能した電気光学装置、電気光学装置の駆動方法、電気光学装置の駆動回路および電子機器を提供すること。【解決手段】１フレームを構成した後で、共通電極の電位を反転させる前の全走査線選択期間Ｔｂに、反転前の共通電極電位ＬＣＣＯＭを、１フレーム期間にビデオ信号が書き込まれた全ての画素に書き込む。これにより、全ての画素の電荷が全て吐き出され、各画素の電圧がリセットされる。この後、ｔ８時点に共通電極の電位を反転させる。その反転により各画素の絶対的な電位が上がっても、その電位は反転時の電位差よりも高くならない。【選択図】　　　図５
2004109824.tif 000002
【特許請求の範囲】
【請求項１】
２つの基板間に設けた電気光学素子と、ｎ行の走査線とｍ列のデータ線とが交差する個所に対応してマトリクス配置された画素と、各画素ごとに設けたスイッチング素子とを備え、各画素の画素電極と前記電気光学素子を介して対向する対向電極の電位を低い電位と高い電位との間で所定期間ごとに反転させて、各画素に正極性のデータ信号と負極性のデータ信号を交互に書き込むように構成された電気光学装置であって、
前記対向電極の電位を反転させる前に、前記所定期間に前記データ信号が書き込まれて電荷が保持された全ての画素に、これらの画素の電荷を減らすリセット電圧を書き込むリセット手段を備えることを特徴とする電気光学装置。
【請求項２】
前記リセット手段は、前記リセット電圧として、前記対向電極の反転前の電位を前記全ての画素に書き込むことを特徴とする請求項１に記載の電気光学装置。
【請求項３】
前記所定期間は１フレーム期間であり、前記リセット手段は、前記対向電極の電位を１フレーム期間ごとに反転させる前に、前記リセット電圧を１フレーム期間に前記データ信号が書き込まれた全ての画素に書き込むことを特徴とする請求項２に記載の電気光学装置。
【請求項４】
前記所定期間は１水平走査期間であり、前記リセット手段は、前記対向電極の電位を１水平走査期間ごとに反転させる前に、前記リセット電圧を１水平走査期間に前記データ信号が書き込まれた全ての画素に書き込むことを特徴とする請求項２に記載の電気光学装置。
【請求項５】
前記リセット手段は、前記対向電極の電位を反転させる前に、前記所定期間に選択された全ての走査線を選択し、該全ての走査線に接続された前記スイッチング素子の全てを導通状態にする全選択手段と、該全選択手段により前記全ての走査線を選択したタイミングで、前記対向電極の電位を前記データ線と前記全てのスイッチング素子とを介して、前記所定期間に前記データ信号が書き込まれた全ての画素に直接印加するプリチャージ回路とを備えることを特徴とする請求項２〜４のいずれか一項に記載の電気光学装置。
【請求項６】
前記リセット手段は、前記対向電極の電位を反転させる前に、前記所定期間に選択された全ての走査線を選択し、該全ての走査線に接続された全ての前記スイッチング素子を導通状態にする全選択手段を含み、前記全ての走査線を選択したタイミングで、前記対向電極の反転前の電位のデータ信号を前記データ線と前記全てのスイッチング素子とを介して、前記所定期間に前記データ信号が書き込まれた全ての画素に書き込むことを特徴とする請求項２〜４のいずれか一項に記載の電気光学装置。
【請求項７】
２つの基板間に設けた電気光学素子と、ｎ行の走査線とｍ列のデータ線とが交差する個所に対応してマトリクス配置された画素と、各画素ごとに設けたスイッチング素子とを備え、各画素の画素電極と前記電気光学素子を介して対向する対向電極の電位を低い電位と高い電位との間で所定期間ごとに反転させて、各画素に正極性のデータ信号と負極性のデータ信号を交互に書き込むように構成された電気光学装置の駆動方法であって、
前記対向電極の電位を反転させる前に、前記所定期間に前記データ信号が書き込まれた全ての画素に、前記対向電極の反転前の電位を書き込むことを特徴とする電気光学装置の駆動方法。
【請求項８】
前記電気光学素子に電位がかからない状態で黒表示となる表示モードにすることを特徴とする請求項７に記載の電気光学装置の駆動方法。
【請求項９】
２つの基板間に設けた電気光学素子と、ｎ行の走査線とｍ列のデータ線とが交差する個所に対応してマトリクス配置された画素と、各画素ごとに設けたスイッチング素子とを備え、各画素の画素電極と前記電気光学素子を介して対向する対向電極の電位を低い電位と高い電位との間で所定期間ごとに反転させて、各画素に正極性のデータ信号と負極性のデータ信号を交互に書き込むように構成された電気光学装置の駆動回路であって、
前記対向電極の電位を反転させる前に、前記所定期間に前記データ信号が書き込まれた全ての画素に、前記対向電極の反転前の電位を書き込むリセット手段を備えることを特徴とする電気光学装置の駆動回路。
【請求項１０】
請求項１乃至６のいずれかに記載の電気光学装置を備えることを特徴とする電子機器。
【発明の詳細な説明】
【０００１】
【発明の属する技術分野】
本発明は、電気光学装置、電気光学装置の駆動方法、電気光学装置の駆動回路および電子機器に関する。
【０００２】
【従来の技術】
従来の電気光学装置として、マトリクス配置された画素ごとに薄膜トランジスタが設けられた液晶表示パネルを有するアクティブマトリクス型液晶表示装置で、各画素の画素電極と液晶を介して対向する共通電極の電位をフィールドごとに反転させるようにしたものが知られている（例えば、特許文献１参照）。
【０００３】
また、アクティブマトリクス型液晶表示装置で、各画素の画素電極と液晶を介して対向する対向電極の電位の極性を１水平走査期間ごとに反転させる「１Ｈコモン振り反転駆動」を行なうものが知られている（例えば、特許文献２参照）。
【０００４】
このように共通電極（対向電極）の電位を所定期間ごとに（フィールドごと或いは１水平期間ごとに）反転させる液晶表示装置では、所定期間ごとに正極性のビデオ信号と負極性のビデオ信号とが交互に各画素に書き込まれ、液晶が交流駆動される。これにより、ビデオ信号などのデータ信号の振幅を小さくすることができ、低消費電力を実現できるなどの利点がある。
【０００５】
【特許文献１】
特開平８―３３４７４１号公報
【特許文献２】
特開平９―２６９５１１号公報
【０００６】
【発明が解決しようとする課題】
ところで、上記従来技術のように共通電極（対向電極）の電位を所定期間ごと、例えばフレーム（フィールド）ごとに反転させる液晶表示装置では、各画素の容量にビデオ信号の電荷を書き込み、その電荷を保持した状態で共通電極の電位を反転する。なお、「反転する」とは、所定の電位（例えば０）を基準として正電位側から負電位側へと切り替えること（或いはその逆）を意味する。例えば、図１１に示すように、共通電極の電位を、低い電位Ｖｓｓと高い電位Ｖｄｄとの間で１フレーム期間Ａごとに反転させる場合、あるフレームでは、共通電極電位ＬＣＣＣＯＭをＶｓｓにした状態で、画素電極にビデオ信号の電位Ｖｐｍａｘを書き込む。例えば、図１１に示すように、ｎ行目の走査線である第ｎ走査線を走査信号Ｇｎによりｔ１時点に選択して、その走査線に対応する画素の画素電極に電位Ｖｐｍａｘを書き込む。
【０００７】
その書き込みを終了して１フレームを構成した後、画素電極に書き込まれた電荷を保持したまま共通電極電位をＶｄｄに反転すると（ｔ２時点）、共通電極電位の上昇に引っ張られて画素電極の電位はＶｐ＋（Ｖｄｄ−Ｖｓｓ）まで上昇する。なお、Ｖｐは、共通電極電位をＶｓｓにしたときに画素電極に書き込まれる正極性のビデオ信号の電位Ｖｐｍａｘと、共通電極電位をＶｄｄにしたときに画素電極に書き込まれる負極性のビデオ信号の電位Ｖｐｍｉｎとの差分である。
【０００８】
ここで、ビデオ信号の電位Ｖｐｍａｘが書き込まれた一つの画素に着目すると、共通電極電位ＬＣＣＯＭをＶｓｓからＶｄｄに反転させたとき、その一つの画素では電荷の移動は理想的には全くないので、書き込まれた電荷は保持された状態になっている。そのため、その画素の画素電極電位はもともとＶｐｍａｘであったのが、共通電極電位ＬＣＣＯＭがＶｓｓからＶｄｄへ上がることによってＶｐｍａｘから反転時の電位差分（Ｖｄｄ−Ｖｓｓ）だけ上昇する。これにより、その画素の電位差、つまり共通電極と画素電極との間の電位差はＶｐｍａｘのままであるが、絶対的な電位という観点で見ると、画素電極電位が反転時の電位差分（Ｖｄｄ−Ｖｓｓ）だけＶｐｍａｘから引き上げられる。つまり、ある一つの画素に書き込まれて保持されていたＶｐｍａｘの絶対的な電位が（Ｖｄｄ−Ｖｓｓ）だけ上がってしまう。その絶対的な電位が上がっても、その画素の電位差は変わらないので、表示そのものには影響は無いはずである。
【０００９】
ところが、その画素では、画素電極電位がＶｐｍａｘから上記電位差分だけ引き上げられてもそれに耐え得る耐圧がその画素のスイッチング素子や走査線駆動回路などの周辺回路に要求されることになる。こうして、共通電極の電位を反転させたときに、各画素の画素電極には、保持されている電位、例えばＶｐｍａｘから反転時の電位差分だけ引き上げられた電位が印加される。その引き上げられた電位以上に耐圧を保証する必要があるため、各画素のＴＦＴやその周辺回路のサイズを小さくすることが困難である。しかも、そのような耐圧が要求されるのは共通電極の電位を反転させるときのわずかな時間だけであり、その時間のために保証した耐圧はそれ以外の動作時には必要以上に高いものであり、無駄が多い。その耐圧を保証できるようなＴＦＴや走査線駆動回路を作る必要があるという問題があった。
【００１０】
本発明は、このような従来の問題点に着目してなされたもので、その目的は、各画素のスイッチング素子やその周辺回路に要求される耐圧を低く抑えることができ、スイッチング素子の小型化を可能にした電気光学装置、電気光学装置の駆動方法、電気光学装置の駆動回路および電子機器を提供することにある。
【００１１】
【課題を解決するための手段】
本発明における電気光学装置は、２つの基板間に設けた電気光学素子と、ｎ行の走査線とｍ列のデータ線とが交差する個所に対応してマトリクス配置された画素と、各画素ごとに設けたスイッチング素子とを備え、各画素の画素電極と前記電気光学素子を介して対向する対向電極の電位を低い電位と高い電位との間で所定期間ごとに反転させて、各画素に正極性のデータ信号と負極性のデータ信号を交互に書き込むように構成された電気光学装置であって、前記対向電極の電位を反転させる前に、前記所定期間に前記データ信号が書き込まれて電荷が保持された全ての画素に、これらの画素の電荷を減らすリセット電圧を書き込むリセット手段を備える。
【００１２】
これによれば、対向電極の電位を反転させる前に、前記所定期間にデータ信号が書き込まれた全ての画素の電荷が減らされる。つまり、対向電極の電位を反転させる前に、各画素の電荷を減らしてから、対向電極の電位を反転させる。これにより、対向電極の電位を反転させる場合に、その反転により各画素の絶対的な電位が上がったとしても、その電位は低く抑えられる。したがって、各画素のスイッチング素子や、その周辺回路などに要求される耐圧を低く抑えることができ、スイッチング素子を小型化することができる。
【００１３】
なお、「交差する」とは、ＴＦＴのような３端子スイッチング素子を使ったアクティブマトリクス液晶表示装置のように、同一基板上で交差する構成と、ＴＦＤのような２端子スイッチング素子を使った同液晶表示装置のように、素子基板上にあるデータ線と対向基板上にある走査線（対向電極）とが空間的に交差する構成の両方を含む。
【００１４】
この電気光学装置において、前記リセット手段は、前記リセット電圧として、前記対向電極の反転前の電位を前記全ての画素に書き込む。
これによれば、対向電極の電位を反転させる前に、前記所定期間にデータ信号が書き込まれた全ての画素に保持されていた電荷が全て吐き出され、これらの画素の各画素電極と対向電極の電位差が零になる。つまり、対向電極の電位を反転させる前に、各画素の電荷がリセットされる。こうして前記所定期間にデータ信号が書き込まれた全ての画素に電荷が残っていない状況を作ってから、対向電極の電位を反転させる。これにより、対向電極の電位を反転させる場合に、その反転により各画素の絶対的な電位が上がったとしても、その電位は反転時の電位差よりも高くならない。つまり、各画素のスイッチング素子には、反転時の電位差以下の電位しか印加されないことになり、共通電極の電位を反転させるときのわずかな時間のためだけに必要以上の耐圧を保証する必要がなくなる。したがって、各画素のスイッチング素子や、その周辺回路などに要求される耐圧を低く抑えることができ、スイッチング素子を小型化することができる。
【００１５】
この電気光学装置において、前記所定期間は１フレーム期間であり、前記リセット手段は、前記対向電極の電位を１フレーム期間ごとに反転させる前に、前記リセット電圧を１フレーム期間に前記データ信号が書き込まれた全ての画素に書き込む。
【００１６】
これによれば、１フレームを構成し終わった後で、対向電極の電位を反転させる前に、その反転前の対向電極の電位が１フレーム期間にデータ信号が書き込まれた全ての画素に書き込まれる。これにより、対向電極の電位を反転させる前に、前記全ての画素に保持されていた電荷が全て吐き出され、これらの画素の各画素電極と対向電極の電位差が零になる。こうして１フレーム期間にデータ信号が書き込まれた全ての画素に電荷が残っていない状況を作ってから、対向電極の電位を反転させる。これにより、対向電極の電位を反転させたとき、その反転により各画素の絶対的な電位が上がったとしても、その電位は反転時の電位差よりも高くならない。したがって、対向電極の電位を１フレーム期間ごとに反転させる場合にも、各画素のスイッチング素子や、その周辺回路などに要求される耐圧を低く抑えることができ、スイッチング素子を小型化することができる。
【００１７】
この電気光学装置において、前記所定期間は１水平走査期間であり、前記リセット手段は、前記対向電極の電位を１水平走査期間ごとに反転させる前に、前記リセット電圧を１水平走査期間に前記データ信号が書き込まれた全ての画素に書き込む。
【００１８】
これによれば、１ライン分の表示を構成し終わった後で、対向電極の電位を反転させる前に、その反転前の対向電極の電位が１水平走査期間に含まれる全ての画素に書き込まれる。これにより、対向電極の電位を反転させる前に、前記全ての画素に保持されていた電荷が全て吐き出され、これらの画素の各画素電極と対向電極の電位差が零になる。こうして１水平走査期間に含まれる全ての画素に電荷が残っていない状況を作ってから、対向電極の電位を反転させる。このため、対向電極の電位を１水平走査期間ごとに反転させる場合に、その反転により各画素の絶対的な電位が上がったとしても、その電位は反転時の電位差よりも高くならない。したがって、対向電極の電位を１水平走査期間ごとに反転させる場合にも、各画素のスイッチング素子や、その周辺回路などに要求される耐圧を低く抑えることができ、スイッチング素子を小型化することができる。
【００１９】
この電気光学装置において、前記リセット手段は、前記対向電極の電位を反転させる前に、前記所定期間に選択された全ての走査線を選択し、該全ての走査線に接続された前記スイッチング素子の全てを導通状態にする全選択手段と、該全選択手段により前記全ての走査線を選択したタイミングで、前記対向電極の電位を前記データ線と前記全てのスイッチング素子とを介して、前記所定期間に前記データ信号が書き込まれた全ての画素に直接印加するプリチャージ回路とを備える。
【００２０】
これによれば、対向電極の電位を反転させる前に、所定期間に選択された全ての走査線を全選択手段により選択したタイミングで、プリチャージ回路により、対向電極の反転前の電位のデータ信号をデータ線と前記全てのスイッチング素子とを介して、所定期間にデータ信号が書き込まれた全ての画素に直接印加して書き込む。これにより、対向電極の電位を反転させる前に、所定期間にデータ信号が書き込まれた全ての画素に保持されていた電荷が全て吐き出される。このため、対向電極の反転前の電位を各画素に書き込むための電圧を作る回路が不要である。したがって、電気光学装置の製造コストを増大させることなく、スイッチング素子を小型化することができる。
【００２１】
この電気光学装置において、前記リセット手段は、前記対向電極の電位を反転させる前に、前記所定期間に選択された全ての走査線を選択し、該全ての走査線に接続された全ての前記スイッチング素子を導通状態にする全選択手段を含み、前記全ての走査線を選択したタイミングで、前記対向電極の反転前の電位のデータ信号を前記データ線と前記全てのスイッチング素子とを介して、前記所定期間に前記データ信号が書き込まれた全ての画素に書き込む。
【００２２】
これによれば、対向電極の電位を反転させる前に、所定期間に選択された全ての走査線を全選択手段により選択したタイミングで、対向電極の反転前の電位のデータ信号をデータ線と前記全てのスイッチング素子とを介して、所定期間にデータ信号が書き込まれた全ての画素に書き込む。これにより、対向電極の電位を反転させる前に、所定期間にデータ信号が書き込まれた全ての画素に保持されていた電荷が全て吐き出される。このため、各画素に書き込む対向電極の反転前の電位をもつ信号部を、書き込むタイミングに合わせてデータ信号に予め作っておくだけでよい。したがって、電気光学装置の製造コストを増大させることなく、スイッチング素子を小型化することができる。
【００２３】
本発明における電気光学装置の駆動方法は、ｎ行の走査線とｍ列のデータ線とが交差する個所に対応してマトリクス配置された画素と、各画素ごとに設けたスイッチング素子とを備え、各画素の画素電極と電気光学素子を介して対向する対向電極の電位を低い電位と高い電位との間で所定期間ごとに反転させて、各画素に正極性のデータ信号と負極性のデータ信号を交互に書き込むように構成された電気光学装置の駆動方法であって、前記対向電極の電位を反転させる前に、前記所定期間に前記データ信号が書き込まれた全ての画素に、前記対向電極の反転前の電位を書き込む。
【００２４】
これによれば、対向電極の電位を反転させる前に、所定期間にデータ信号が書き込まれた全ての画素に保持されていた電荷が全て吐き出され、これらの画素の各画素電極と対向電極の電位差が零になる。つまり、対向電極の電位を反転させる前に、各画素の電荷がリセットされる。こうして前記所定期間にデータ信号が書き込まれた全ての画素に電荷が残っていない状況を作ってから、対向電極の電位を反転させる。これにより、対向電極の電位を反転させる場合に、その反転により各画素の絶対的な電位が上がったとしても、その電位は反転時の電位差よりも高くならない。つまり、各画素のスイッチング素子には、反転時の電位差以下の電位しか印加されないことになり、共通電極の電位を反転させるときのわずかな時間のためだけに必要以上の耐圧を保証する必要がなくなる。したがって、各画素のスイッチング素子や、その周辺回路などに要求される耐圧を低く抑えることができ、スイッチング素子を小型化することができる。
【００２５】
この電気光学装置の駆動方法において、前記電気光学素子に電位がかからない状態で黒表示となる表示モードにする。
これによれば、対向電極の電位を反転させる前に、所定期間にデータ信号が書き込まれた全ての画素に保持されていた電荷が全て吐き出され、これらの画素の各画素電極と対向電極の電位差が零になり、このとき電気光学素子には電位が掛からない状態になり、各画素での表示が黒表示となる。例えば、対向電極の電位をフレームごとに反転させる場合、１フレームを構成した全ての画素での表示が黒表示となり、次のフレームにおいて各ラインを構成する毎に、各ラインでの表示が黒から白に変化するインパルス型になる。したがって、動画に適した表示をすることができる。
【００２６】
本発明における電気光学装置の駆動回路は、２つの基板間に設けた電気光学素子と、ｎ行の走査線とｍ列のデータ線とが交差する個所に対応してマトリクス配置された画素と、各画素ごとに設けたスイッチング素子とを備え、各画素の画素電極と前記電気光学素子を介して対向する対向電極の電位を低い電位と高い電位との間で所定期間ごとに反転させて、各画素に正極性のデータ信号と負極性のデータ信号を交互に書き込むように構成された電気光学装置の駆動回路であって、前記対向電極の電位を反転させる前に、前記所定期間に前記データ信号が書き込まれた全ての画素に、前記対向電極の反転前の電位を書き込むリセット手段を備える。
【００２７】
これによれば、対向電極の電位を反転させる前に、所定期間にデータ信号が書き込まれた全ての画素に保持されていた電荷が全て吐き出され、これらの画素の各画素電極と対向電極の電位差が零になる。つまり、対向電極の電位を反転させる前に、各画素の電荷がリセットされる。こうして前記所定期間にデータ信号が書き込まれた全ての画素に電荷が残っていない状況を作ってから、対向電極の電位を反転させる。これにより、対向電極の電位を反転させる場合に、その反転により各画素の絶対的な電位が上がったとしても、その電位は反転時の電位差よりも高くならない。つまり、各画素のスイッチング素子には、反転時の電位差以下の電位しか印加されないことになり、共通電極の電位を反転させるときのわずかな時間のためだけに必要以上の耐圧を保証する必要がなくなる。したがって、各画素のスイッチング素子や、その周辺回路などに要求される耐圧を低く抑えることができ、スイッチング素子を小型化することができる。
【００２８】
本発明における電子機器は、請求項１乃至６のいずれかに記載の電気光学装置を備える。これによれば、電子機器に搭載される電気光学装置は、各画素のスイッチング素子や、その周辺回路などに要求される耐圧を低く抑えることができ、スイッチング素子を小型化することができるので、電子機器の小型化を図ることができる。
【００２９】
【発明の実施の形態】
以下、本発明を液晶表示装置に適用した実施の形態を図面に基づいて説明する。
【００３０】
［第１実施形態］
図１は本発明の第１実施形態に係る液晶表示装置のうち外部回路を除いた液晶表示パネルを示しており、図２は同パネルの断面を一部破断して示しており、そして、図３は液晶表示装置の駆動回路の電気的構成を概略的に示している。
【００３１】
本実施形態の液晶表示装置は、２つの基板間に電気光学素子としての液晶が封入され、マトリクス配置された画素ごとにスイッチング素子が設けられた液晶表示パネルを有するアクティブマトリクス型液晶表示装置である。また、この液晶表示装置は、各画素の画素電極と液晶を介して対向する対向電極の電位を低い電位と高い電位との間で所定期間としての１フレーム期間ごとに反転させて、各画素に正極性のデータ信号と負極性のデータ信号を交互に書き込むように構成されている。
【００３２】
液晶表示パネル２１は、図１および図２に示すように素子基板２２と対向基板２３とを備え、これら２つの基板の間にＴＮ（Ｔｗｉｓｔｅｄ　Ｎｅｍａｔｉｃ）型の液晶２４が封入されている。また、液晶表示パネル２１は、図３に示すように、ｎ行の走査線Ｙ１〜Ｙｎとｍ列のデータ線Ｘ１〜Ｘｍとが交差する個所に対応してマトリクス配置されたｎ×ｍ個の画素２５と、各画素２５ごとに設けたスイッチング素子としてのＴＦＴ２６とを備えている。
【００３３】
素子基板２２と対向基板２３は、図１および図２に示すように、スペーサ（図示省略）を含むシール材２７によって一定の間隔を保って、互いの電極形成面が対向するように貼り合わされ、その間に液晶２４が封入されている。シール材２７は、対向基板２３の周縁に沿って形成されており、液晶２４を封入するための開口部２７ａを有している。この開口部２７ａは、液晶２４の封入後に封止材２８で封止されている。
【００３４】
また、素子基板２２には、図２及び図３に示すように、Ｙ方向に配列されたｎ行の走査線Ｙ１〜Ｙｎと、Ｘ方向に配列されたｍ列のデータ線Ｘ１〜Ｘｍとが形成されている。さらに、素子基板２２には、上記ｎ×ｍ個の画素２５、および、各画素２５ごとに設けたスイッチング素子としての薄膜トランジスタ（Ｔｈｉｎ　Ｆｉｌｍ　Ｔｒａｎｓｉｓｔｏｒ：以下「ＴＦＴ」という）２６などが形成されている。各ＴＦＴ２６のゲートは走査線Ｙ１〜Ｙｎの１つに、そのソースはデータ線Ｘ１〜Ｘｍの一つに、そして、そのドレインは対応する１つの画素２５の画素電極２９にそれぞれ接続されている。
【００３５】
各画素２５の画素電極２９は、図２および図３に示すように、対向基板２３側に設けた対向電極としての１つの共通電極３０と液晶２４を介してそれぞれ対向している。また、各画素２５は、矩形状の画素電極２９と共通電極３０の間の液晶２４で構成される液晶容量３１と、この液晶容量３１と並列に接続され、同液晶容量のリークを低減するための蓄積容量３２とを備えている。こうして、各画素２５の画素回路が、ＴＦＴ２６、画素電極２９、共通電極３０、液晶容量３１、および蓄積容量３２などで構成されている。そして、各画素２５の画素回路は、ＴＦＴ２６がオン（導通状態）になると、画像信号を電圧信号に変換したビデオ信号（データ信号）がＴＦＴ２６を介して液晶容量３１と蓄積容量３２とに書き込まれ、ＴＦＴ２６がオフ（非導通状態）になると、これらの容量に電荷が保持されるようになっている。
【００３６】
素子基板２２には、図１および図３に示すように、走査線Ｙ１〜Ｙｎを駆動するための左右２つの走査線駆動回路（Ｙドライバー）３３，３３と、データ線Ｘ１〜Ｘｍを駆動するためのデータ線駆動回路（Ｘドライバー）３４と、サンプルホールド回路３５と、プリチャージ回路３６とが設けられている。また、素子基板２２には、対向基板２３側との接続端子である銀点３８と、外部回路から各種信号が入力される入力端子３９、Ｘドライバー駆動信号線４０、ビデオ信号線４１、およびプリチャージ回路信号線４２などが形成されている。
【００３７】
次に、液晶表示装置の液晶表示パネル２１を駆動する駆動回路の電気的構成を図３に基づいて説明する。この駆動回路は、ｎ×ｍ個の上記画素回路、２つの走査線駆動回路３３，３３、データ線駆動回路３４、サンプルホールド回路３５、およびプリチャージ回路３６などを備えている。そして、この駆動回路は、共通電極３０の電位をグランド電位である低い電圧Ｖｓｓと高い電圧Ｖｄｄとの間で１フレーム期間（所定期間）ごとに反転させて、各画素２５に正極性のビデオ信号と負極性のビデオ信号を交互に書き込むように構成されている。なお、ここにいう「１フレーム期間」は、走査線Ｙ１〜Ｙｎを順次に選択して全ての画素２５の容量（液晶容量３１および蓄積容量３２）にビデオ信号を書き込むことで１画面の表示がなされる期間をいう。また、選択された走査線Ｙ１〜Ｙｎの一つに接続された全ての画素２５の容量にビデオ信号を書き込むことで１ライン分の表示がなされる期間を「１水平走査期間（１Ｈ期間）」という。
【００３８】
各走査線駆動回路３３は、走査線Ｙ１〜Ｙｎを順次に選択する垂直走査を、垂直走査開始時にＨｉ（Ｈレベル）の走査方向切換え信号Ｄｎが入力されたときには上から順に行うとともに、Ｌｏｗ（Ｌレベル）の走査方向切換え信号Ｄｎが入力されたときには下から順に行うようになっている。
【００３９】
また、各走査線駆動回路３３は、垂直走査期間の最初に供給される転送開始信号ＤＹ、クロック信号ＣＹおよび反転クロック信号／ＣＹにより走査信号Ｇ１〜Ｇｎを順次に生成して出力することで、走査線Ｙ１〜Ｙｎを順次に選択するようになっている。走査線Ｙ１〜Ｙｎが順に選択されて各走査線に走査信号Ｇ１〜Ｇｎが供給されると、各走査線に接続された全てのＴＦＴ２６がオンになるように構成されている。
【００４０】
さらに、各走査線駆動回路３３は、共通電極３０の電位を１フレーム期間ごとに反転する前の所定のタイミングで供給される反転イネーブル信号／ＥＮＢ（Ｌベルのパルス信号）が入力されると、そのタイミングで走査信号Ｇ１〜Ｇｎを同時に出力して全ての走査線Ｙ１〜Ｙｎを同時に選択するように構成されている。こうして全ての走査線Ｙ１〜Ｙｎが同時に選択されると、これらの走査線Ｙ１〜Ｙｎに接続されたＴＦＴ２６の全て、すなわち１フレームを構成する全てのＴＦＴ２６がオンになる。なお、全ての走査線Ｙ１〜Ｙｎを同時に選択する期間Ｔｂ（図６参照）を「全走査線選択期間」という。
【００４１】
データ線駆動回路３４は、走査線Ｙ１〜Ｙｎが順次に選択される１水平走査期間Ｔａ（図６参照）に、Ｈレベルのデータ選択信号Ｓ１〜Ｓｍ（図６参照）を順次に出力するシフトレジスタ（図示省略）を備えている。
【００４２】
サンプルホールド回路３５は、データ線Ｘ１〜Ｘｍにそれぞれ設けられ、Ｈレベルのデータ選択信号Ｓ１〜Ｓｍが入力されるとそれぞれ開くトランスミッションゲート３５１〜３５ｍを備えている。各トランスミッションゲート３５１〜３５ｍは、ゲートにＨレベルの信号が入力されると開く２つのＮチャンネル型ＴＦＴからなり、ゲートにＨの信号が入力されると開くようになっている。このタイプのトランスミッションゲートを、以下の説明で「Ｎ型ＴＧ」と呼ぶ。Ｎ型ＴＧ３５１〜３５ｍがデータ選択信号Ｓ１〜Ｓｍにより順次に開くと、ビデオ信号線４１を介して供給されるビデオ信号が、Ｎ型ＴＧ３５１〜３５ｍをそれぞれ介してデータ線Ｘ１〜Ｘｍに順次に供給される。各データ線Ｘ１〜Ｘｍに供給されるビデオ信号は、選択された走査線に接続された各ＴＦＴ２６を介して各画素２５に順次に書き込まれるようになっている。
【００４３】
また、プリチャージ回路３６は、データ線Ｘ１〜Ｘｍにそれぞれ設けられたＮ型ＴＧ３６１〜３６ｍを備えている。これらのＮ型ＴＧ３６１〜３６ｍは、上記反転イネーブル信号／ＥＮＢと同じタイミングで供給されるイネーブル信号ＥＮＢ（Ｈレベルのパルス信号）により同時に開くようになっている。Ｎ型ＴＧ３６１〜３６ｍが同時に開くと、共通電極３０の電位である共通電極電位ＬＣＣＯＭが、プリチャージ回路信号線４２、Ｎ型ＴＧ３６１〜３６ｍ、データ線Ｘ１〜ＸｍおよびＴＦＴ２６を介して全ての画素２５に印加される。したがって、プリチャージ回路３６は、反転イネーブル信号／ＥＮＢが供給されるタイミングで、すなわち上記全走査線選択期間Ｔｂに、イネーブル信号ＥＮＢによりＮ型ＴＧ３６１〜３６ｍが同時に開くことで、共通電極電位ＬＣＣＯＭを、１フレームを構成する全ての画素２５に直接印加するようになっている。
【００４４】
つまり、プリチャージ回路３６は、前記全ての画素２５にビデオ信号を書き込んで１フレームを構成し終わった後、１フレーム期間にビデオ信号が書き込まれてその電荷が保持された全ての画素２５に、共通電極電位ＬＣＣＯＭを反転する前に、その反転前の共通電極電位を直接書き込むようになっている。これにより、共通電極３０の電位を反転する前に、１フレーム期間にビデオ信号が書き込まれた全画素２５の画素電極２９の電位を反転前の共通電極電位ＬＣＣＯＭと同じレベルにして、両電極２９，３０間の電位差を零にするようになっている。
【００４５】
次に、上述した各走査線駆動回路３３を図４に基づいてさらに詳しく説明する。
各走査線駆動回路３３は、垂直走査の開始時にＨレベルの上記走査方向切換え信号Ｄｎが入力されたとき、転送開始信号ＤＹを順次下に転送するトランスミッションゲートＴＧ１と、Ｌレベルの走査方向切換え信号Ｄｎが入力されたとき、転送開始信号ＤＹを順次上に転送するトランスミッションゲートＴＧ１とを備える。トランスミッションゲートＴＧ１（以下、単に「ＴＧ１」という）は、ｎ＋１個のＮ型ＴＧ５０１〜５０ｎ＋１を有する。一方、トランスミッションゲートＴＧ２（以下、単に「ＴＧ２」という）は、ｎ＋１個のトランスミッションゲート５１１〜５１ｎ＋１を有する。各トランスミッションゲート５１１〜５１ｎ＋１は、ゲートにＬレベルの信号が入力されると開くＰチャンネル型ＴＦＴと上記Ｎチャンネル型ＴＦＴからなり、ゲートにＬレベルの信号が入力されると開くようになっている。このタイプのトランスミッションゲートを、以下の説明で「Ｐ型ＴＧ」と呼ぶ。
【００４６】
ＴＧ１の各Ｎ型ＴＧ５０１〜５０ｎ＋１は、垂直走査の開始時にＨレベルの走査方向切換え信号Ｄｎが入力されると同時に開くようになっている。ＴＧ１のＮ型ＴＧ５０１〜５０ｎ＋１が同時に開くと、転送開始信号ＤＹは、１段目のＮ型ＴＧ５０１を通った後、１段目のＮ型ＴＧ６１，６２を介して２段目のＮ型ＴＧ５０２に送られる。さらに、同信号Ｄｎは、２段目のＮ型ＴＧ５０２を通った後、２段目のＮ型ＴＧ６１，６２をそれぞれ介して３段目のＮ型ＴＧ５０３に送られる。こうして転送開始信号ＤＹは下に順次転送され、ｎ段目のＮ型ＴＧ５０ｎ（図示省略）を通った後、ｎ段目のＮ型ＴＧ６１，６２（図示省略）、ｎ＋１段目のＮ型ＴＧｎ＋１、および同段のＮ型ＴＧ６１，６２を順に通って最終出力端子ＹＥＰＤに送られるようになっている。
【００４７】
また、１段目からｎ＋１段目までの各段のＮ型ＴＧ６１にはクロック信号ＣＹ（図５参照）が、各段のＮ型ＴＧ６２には反転クロック信号／ＣＹ（同図参照）がそれぞれ入力されている。各段のＮ型ＴＧ６１を通る信号は、インバータ（ＮＯＴ回路）６３、インバータ６４、ナンド回路６５、ナンド回路６６、インバータ（ＮＯＴ回路）６７、およびインバータ６８に送られる。各段のナンド回路６６には、ナンド回路６５の出力信号と、入力端子６９に供給される反転イネーブル信号／ＥＮＢとが入力されている。そして、この反転イネーブル信号／ＥＮＢは、共通電極３０の電位を反転する直前の上記全走査線選択期間ＴｂにのみＬレベルになる信号である（図５参照）。
【００４８】
したがって、各走査線駆動回路３３は、転送開始信号ＤＹが供給された後（図５のｔ２時点後）に各段のＮ型ＴＧ６１の出力が順次にＬレベルになると、各段のインバータ６８から各走査線Ｙ１〜ＹｎにＨレベルの走査信号Ｇ１〜Ｇｎがそれぞれ出力されるように構成されている。
【００４９】
また、ＴＧ２の各Ｎ型ＴＧ５１１〜５１ｎ＋１は、垂直走査の開始時にＬレベルの走査方向切換え信号Ｄｎが供給されると同時に開くようになっている。このとき、転送開始信号ＤＹは、１段目のＰ型ＴＧ５１１側からＰ型ＴＧ５１ｎ＋１側へ、つまり下から上へ順次転送され、最終出力端子ＹＥＰＵに送られるようになっている。
【００５０】
以上のように構成された液晶表示装置の動作を図５および図６に基づいて説明する。なお、ここでは、走査方向切換え信号ＤｎがＨレベル（Ｈｉ）で、転送開始信号ＤＹが上から下へ転送される場合について説明する。
【００５１】
前のフレームが構成された後、図５のｔ１時点に共通電極電位ＬＣＣＯＭがＶｄｄからＶｓｓに反転され、この後、ｔ２時点に転送開始信号ＤＹが各走査線駆動回路３３に供給される。これにより、各走査線駆動回路３３の１段目のインバータ６８からは、図５のｔ３時点にＴ１期間でＨレベルになる走査信号Ｇ１が走査線Ｙ１に出力される。この後、各走査線駆動回路３３の２段目以降の各インバータ６８からは、Ｔ２，Ｔ３，・・・Ｔｎ期間でそれぞれＨレベルになる走査信号Ｇ２，Ｇ３，・・・Ｇｎが対応する各走査線Ｙ２，Ｙ３，・・・Ｙｎに順次に出力される。
【００５２】
こうして、走査線Ｙ１〜Ｙｎに走査信号Ｇ１〜Ｇｎが順次に出力されて走査線Ｙ１〜Ｙｎが順次に選択される各水平走査期間Ｔａでは、図６に示すようにデータ線駆動回路３４からＨレベルのデータ選択信号Ｓ１〜Ｓｍが順次に出力され、サンプルホールド回路３５の各Ｎ型ＴＧ３５１〜３５ｍが順次に開く。
【００５３】
例えば、第１行目の走査線Ｙ１を選択し、これに接続された全てのＴＦＴ２６をオンにして第１ラインを構成する場合、Ｎ型ＴＧ３５１が開くと、ビデオ信号線４１を通って供給されるビデオ信号が、Ｎ型ＴＧ３５１を介してデータ線Ｘ１に供給される。これにより、ビデオ信号が、データ線Ｘ１に接続されたＴＦＴ２６のうち第１行目の走査線Ｙ１に接続されたＴＦＴ２６を介してアドレス（Ｘ１，Ｙ１）の画素２５に書き込まれる。この後、Ｎ型ＴＧ３５２〜３５ｍが順に開くと、ビデオ信号が、Ｎ型ＴＧ３５２〜３５ｍをそれぞれ介してデータ線Ｘ２〜Ｘｍに順次に供給される。これにより、ビデオ信号が、データ線Ｘ２〜Ｘｍにそれぞれ接続されたＴＦＴ２６のうち第１行目の走査線Ｙ１に接続されたＴＦＴ２６を介してアドレス（Ｘ２，Ｙ１）〜（Ｘｍ，Ｙ１）の各画素２５に順次に書き込まれる。これにより、１フレーム期間における第１行目の１ライン分が構成される。
【００５４】
この後、上記と同様に走査線Ｙ２〜Ｙｎ−１を順次に選択し、Ｎ型ＴＧ３５１〜３５ｍを順次に開き、第２行目〜第ｎ−１行目の各ラインを順に構成する。
そして、図５のｔ４時点からｔ５時点までのＴｎ期間で、１フレーム期間における最後の行である第ｎ行目の走査線Ｙｎを走査信号Ｇｎで選択し、Ｎ型ＴＧ３５１〜３５ｍを順次に開き、走査線Ｙｎの全画素２５にビデオ信号の書込みを終了すると、１フレームが構成されて１画面分の表示がなされる。このフレーム期間では、共通電極３０の電位が低い電位Ｖｓｓに反転されているので、全画素２５に正極性のデータが書き込まれて１フレームが構成される。
【００５５】
こうして１フレームを構成した後、図５のｔ６時点に反転イネーブル信号／ＥＮＢが入力端子６９に供給されると、各走査線駆動回路３３における各段のナンド回路６６の出力信号は全てＬレベルからＨレベルになる。これにより、各走査線駆動回路３３は、各段のインバータ６８から走査信号Ｇ１〜Ｇｎを同時に出力し、全ての走査線Ｙ１〜Ｙｎを同時に選択する。これにより、１フレーム期間に含まれる全ての画素２５のＴＦＴ２６が全走査線選択期間Ｔｂの間オンになる。
【００５６】
この全走査線選択期間Ｔｂでは、反転イネーブル信号／ＥＮＢと同じタイミングでＨレベルのイネーブル信号ＥＮＢがプリチャージ回路３６の各Ｎ型ＴＧ３６１〜３６ｍのゲートに供給されるので、全てのＮ型ＴＧ３６１〜３６ｍが同時に開く。これにより、共通電極電位ＬＣＣＯＭが、プリチャージ回路信号線４２、データ線Ｘ１〜Ｘｍおよび全てのＴＦＴ２６を介して、１フレーム期間にビデオ信号が書き込まれてその電荷が保持された全ての画素２５に直接印加され書き込まれる。このとき書き込まれる共通電極電位ＬＣＣＯＭは、共通電極３０の電位をＶｓｓからＶｄｄに反転する前の電位Ｖｓｓである。
【００５７】
この書き込みにより、１フレームを構成する全画素２５の容量に保持されていた電荷がリセットされ、これらの画素２５の各画素電極２９と共通電極３０の電位差が零になる。こうして１フレームを構成する全画素２５に電荷が残っていない状況を作ってから、図５および図６のｔ８時点に、共通電極３０の電位をＶｓｓからＶｄｄに反転させる。
【００５８】
この後、次のフレームの全画素２５に負極性となるビデオ信号を順次に書き込む。このフレームを構成し終わった後で、共通電極３０の電位をＶｄｄからＶｓｓに反転させる前に、上述した場合と同様に、共通電極電位ＬＣＣＯＭが、１フレーム期間にビデオ信号が書き込まれてその電荷が保持された全ての画素２５に直接印加され書き込まれる。このとき書き込まれる共通電極電位ＬＣＣＯＭは、共通電極３０の電位をＶｄｄからＶｓｓに反転する前の電位Ｖｄｄである。
【００５９】
この書き込みにより、１フレームを構成する全画素２５の容量に保持されていた電荷がリセットされ、これらの画素２５の各画素電極２９と共通電極３０の電位差が零になる。こうして１フレームを構成する全画素２５に電荷が残っていない状況を作ってから、共通電極３０の電位をＶｄｄからＶｓｓに反転させる（図５のｔ１時点）。
【００６０】
以後同様にして、この液晶表示装置では、共通電極３０の電位を１フレーム期間ごとにＶｓｓとＶｄｄとの間で反転させて、各画素２５の容量に正極性と負極性のビデオ信号を交互に書き込む。
【００６１】
なお、第１実施形態では、共通電極３０の電位を反転させる前に、１フレーム期間にビデオ信号が書き込まれて電荷が保持された全ての画素２５に、共通電極３０の反転前の電位（リセット電圧）を書き込む「リセット手段」が、走査線駆動回路３３，３３と、プリチャージ回路３６とで構成される。また、「全選択手段」は、各走査線駆動回路３３，３３における各段のナンド回路６６に入力端子６９から反転イネーブル信号／ＥＮＢを入力させる構成に相当する。この「全選択手段」は、共通電極３０の電位を反転させる前に、１フレーム期間に選択された全ての走査線Ｙ１〜Ｙｎを選択し、該全ての走査線に接続されたＴＦＴ２６の全てをオンにする。
【００６２】
以上のように構成された第１実施形態によれば、以下の作用効果を奏する。
（イ）１フレームを構成し終わった後で、共通電極３０の電位を反転させる前に（図５の全走査線選択期間Ｔｂに）、共通電極電位ＬＣＣＯＭ（反転前の共通電極３０の電位）を、１フレーム期間にビデオ信号が書き込まれてその電荷が保持された全ての画素２５に直接印加して書き込む。つまり、共通電極３０の電位を低い電位Ｖｓｓから高いＶｄｄに反転させる場合には、その反転前の共通電極電位であるＶｓｓを各画素２５に直接書き込む。一方、共通電極３０の電位をＶｄｄからＶｓｓに反転させる場合には、その反転前の共通電極電位であるＶｄｄを各画素２５に直接書き込む。
【００６３】
これにより、共通電極３０の電位を反転させる前に、１フレーム期間にビデオ信号が書き込まれてその電荷が保持された全ての画素２５の電荷が全て吐き出され、これらの画素２５の各画素電極２９と共通電極３０の電位差が零になる。つまり各画素２５の電圧がリセットされる（図５の画素電圧リセット）。こうして１フレームを構成する全画素２５に電荷が残っていない状況を作ってから、図５および図６のｔ８時点に、共通電極３０の電位を反転させる。このため、共通電極３０の電位をＶｓｓからＶｄｄに反転させる場合には、その反転により各画素２５の絶対的な電位が上がったとしても、その電位は反転時の電位差（Ｖｄｄ−Ｖｄｄ）よりも高くならない。つまり、各画素２５のＴＦＴ２６には、その電位差以下の電位しか印加されない。また、共通電極３０の電位をＶｄｄからＶｓｓに反転させる場合にも、各画素２５のＴＦＴ２６には、その電位差以下の電位しか印加されない。
【００６４】
つまり、各画素２５のＴＦＴ２６には、反転時の電位差以下の電位しか印加されないことになり、共通電極３０の電位を反転させるときのわずかな時間のためだけに必要以上の耐圧を保証する必要がなくなる。したがって、各画素２５のＴＦＴ２６や、その周辺回路、例えばデータ線駆動回路３４などに要求される耐圧を低く抑えることができ、ＴＦＴ２６を小型化することができる。
【００６５】
（ロ）１フレームを構成した後、全走査線選択期間Ｔｂで、プリチャージ回路３６の各Ｎ型ＴＧ３６１〜３６ｍが同時に開くことにより、共通電極電位ＬＣＣＯＭが、プリチャージ回路信号線４２、データ線Ｘ１〜Ｘｍおよび各画素２５のＴＦＴ２６を介して、全画素２５に直接印加されて書き込まれる。つまり、プリチャージ回路３６の各Ｎ型ＴＧ３６１〜３６ｍの入力側に常時印加されている共通電極電位を、プリチャージ回路３６により全画素２５に直接印加して書き込むようにしている。このため、各画素２５に書き込むための電圧を作る回路が不要である。したがって、液晶表示装置の製造コストを増大させることなく、ＴＦＴ２６を小型化することができる。
【００６６】
［第２実施形態］
次に、本発明の第２実施形態に係る液晶表示装置を図７に基づいて説明する。上第１実施形態では、全ての走査線Ｙ１〜Ｙｎを選択したタイミング、すなわち全走査線選択期間Ｔｂで、プリチャージ回路３６の各Ｎ型ＴＧ３６１〜３６ｍを同時に開くことにより、共通電極電位ＬＣＣＯＭを全画素２５に直接印加して書き込むようにしている。
【００６７】
これに対して、本実施形態の液晶表示装置では、図７に示すように、上記第１実施形態と同様に全ての走査線Ｙ１〜Ｙｎを選択したタイミングで、すなわち全走査線選択期間Ｔｂに、共通電極３０の反転前の電位のビデオ信号をデータ線Ｘ１〜Ｘｍと全てのＴＦＴ２６とを介して、１フレームにビデオ信号が書き込まれた全ての画素２５に書き込む。つまり、各フレーム期間の全走査線選択期間Ｔｂに各画素２５に書き込むリセット電圧（共通電極３０の反転前の電位）をもつ信号部を、書き込むタイミングに合わせてビデオ信号に予め作っておく。この信号部を全走査線選択期間Ｔｂに全ての画素２５に書き込む。
【００６８】
このように構成された第２実施形態によれば、以下の作用効果を奏する。
（ハ）共通電極３０の電位を反転させる前の全走査線選択期間Ｔｂに、共通電極３０の反転前の電位をもつビデオ信号の前記信号部を１フレームにビデオ信号が書き込まれた全ての画素２５に書き込む。これにより、対向電極の電位を反転させる前に、１フレームにビデオ信号が書き込まれた全ての画素２５に保持されていた電荷が、ビデオ信号の信号部により全て吐き出される。このため、各画素に書き込む対向電極の反転前の電位をもつ信号部を、書き込むタイミングに合わせてビデオ信号に予め作っておくだけでよい。したがって、液晶表示装置の製造コストを増大させることなく、ＴＦＴ２６を小型化することができる。
【００６９】
［第３実施形態］
次に、本発明の第３実施形態に係る液晶表示装置を図８に基づいて説明する。
この第３実施形態では、上記第１実施形態と同様の構成において、液晶２４に電位がかからない状態で黒表示となる表示モードにする。つまり、液晶の表示モードをノーマリブラックモードにする。
【００７０】
これにより、共通電極電位ＬＣＣＯＭを反転させる前に、その反転前の共通電極電位ＬＣＣＯＭを、１フレーム期間にビデオ信号が書き込まれてその電荷が保持された全ての画素２５に直接印加して書き込むと、全ての画素２５に保持されていた電荷が全て吐き出され、各画素２５の画素電極２９と共通電極３０の電位差が零になる。このとき液晶には電位が掛からない状態になり、全ての画素２５での表示が白から黒の表示になる。この状態を図８（ａ）で示している。
【００７１】
この後、次のフレームにおいて第１行目のラインを構成すると、そのラインでの表示が黒から白に変化する。この状態を図８（ｂ）で示している。次に、第２行目のラインを構成すると、そのラインでの表示が黒から白に変化する。この状態を図８（ｃ）で示している。この後、第３行目以降の各ラインを順次に構成すると、各ラインでの表示が黒から白に変化する。こうしてインパルス型の表示が得られる。
【００７２】
このように構成された第３実施形態によれば、以下の作用効果を奏する。
（ニ）液晶２４に電位がかからない状態で黒表示となる表示モードにすることで、１フレームを構成する際に、各ラインでの表示が順に黒から白に変化するインパルス型になる。したがって、動画に適した表示をすることができる。
【００７３】
［第４実施形態］
次に、本発明の第４実施形態に係る液晶表示装置を図９に基づいて説明する。
上記第３実施形態では、共通電極３０の電位を１フレームごとに反転させる１フレーム反転の駆動方法を採用しているが、この第４実施形態では、共通電極３０の電位を１水平走査期間（１Ｈ）ごとに反転させる１Ｈ反転の駆動方法を採用している。その他の点は上記第３実施形態と同じである。
【００７４】
本実施形態の液晶表示装置では、１Ｈごとに共通電極電位ＬＣＣＯＭを反転させる前に、その反転前の共通電極電位を、１Ｈ期間にビデオ信号が書き込まれてその電荷が保持された全ての画素２５に直接印加して書き込む。これにより、そのラインの全ての画素２５に保持されていた電荷が全て吐き出され、各画素２５の画素電極２９と共通電極３０の電位差が零になる。このとき液晶には電位が掛からない状態になり、そのラインの全ての画素２５での表示が白から黒の表示になる。
【００７５】
例えば、第１行目のラインを構成し終わると、そのラインのみが図９（ａ）に示すように白表示になる。この後、共通電極電位を反転させる前に、その反転前の共通電極電位を第１行目のラインの全ての画素２５に印加して書き込むと、第１行目のラインでの表示が白から黒になる。
【００７６】
この後、第２行目のラインを構成すると、そのラインの表示が黒から白に変化し、第２行目のラインのみが白表示になる（図９（ｂ）参照）。この後、共通電極電位を反転させる前に、その反転前の共通電極電位を第２行目のラインの全ての画素２５に印加して書き込むと、第２行目のラインでの表示が白から黒になる。
【００７７】
この後、第３行目のラインを構成すると、そのラインの表示が黒から白に変化し、第３行目のラインのみが白表示になる（図９（ｃ）参照）。この後、共通電極電位を反転させる前に、第３行目のラインでの表示が白から黒になる。この後、第４行目以降の各ラインでの表示が上記と同様に繰り返される。
【００７８】
このように構成された第４実施形態によれば、以下の作用効果を奏する。
（ホ）共通電極３０の電位を１Ｈごとに反転させる１Ｈ反転の駆動方法を採用した液晶表示装置において、液晶２４に電位がかからない状態で黒表示となる表示モードにすることで、１ラインを構成するごとに、その１ラインでの表示のみが黒から白に変化するインパルス型になる。したがって、動画に適した表示をすることができる。
【００７９】
［電子機器］
次に、上記各実施形態で説明した液晶表示装置の液晶表示パネル２１を用いた電子機器について説明する。液晶表示パネル２１は、図１０に示すようなモバイル型のパーソナルコンピュータに適用できる。図１０に示すパーソナルコンピュータ７０は、キーボード７１を備えた本体部７２と、液晶表示パネル２１を用いた表示ユニット７３とを備えている。
【００８０】
この表示ユニット７３に用いた液晶表示パネル２１では、上述したように各画素のＴＦＴなどのスイッチング素子や、その周辺回路などに要求される耐圧を低く抑えることができる。したがって、スイッチング素子を小型化することができるので、同パネル２１が搭載されるパーソナルコンピュータ７０の小型化を図ることができる。
【００８１】
［変形例］
なお、この発明は以下のように変更して具体化することもできる。
・上記第１〜第３実施形態では、共通電極３０の電位を反転させる前に、共通電極電位ＬＣＣＯＭ（反転前の共通電極３０の電位）をリセット電圧として、１フレーム期間にビデオ信号が書き込まれてその電荷が保持された全ての画素２５に書き込むようにしているが、本発明はこれに限定されない。電荷が保持された全ての画素２５に、これらの画素の電荷を減らすリセット電圧を書き込むようにしてもよい。つまり、リセット電圧を、低い電位Ｖｓｓと高い電位Ｖｄｄの間の電圧としてもよい。ただし、そのリセット電圧は、反転前の共通電極３０の電位により近いほど望まし。
【００８２】
・上記上記第１〜第３実施形態では、１フレーム期間ごとに共通電極３０の電位を反転させるようにしているが、１水平捜査期間（１Ｈ）ごとにその電位を反転させるように構成する場合にも本発明は適用可能である。
【００８３】
・上記各実施形態では、ＴＮ（Ｔｗｉｓｔｅｄ　Ｎｅｍａｔｉｃ）型の液晶２４を用いている。しかし、液晶２４として１８０°以上のねじれ配向を有するＳＴＮ（Ｓｕｐｅｒ　Ｔｗｉｓｔｅｄ　Ｎｅｍａｔｉｃ）型、ＢＴＮ（Ｂｉ−ｓｔａｂｌｅ　Ｔｗｉｓｔｅｄ　Ｎｅｍａｔｉｃ）型、強誘電型等のメモリ性を有する双安定型、高分子分散型、ゲストホスト型等を含めて、周知なものを広く用いることができる。
【００８４】
・上記各実施形態では、各画素のスイッチング素子として３端子スイッチング素子であるＴＦＴを用いているが、これに代えてＴＦＤ（Ｔｈｉｎ　Ｆｉｌｍ　Ｄｉｏｄｅ）のような２端子スイッチング素子を用いたアクティブマトリクス型液晶表示パネルにも本発明は適用可能である。なお、２端子スイッチング素子を用いる場合には、素子基板上にある各画素の画素電極と液晶を介して対向電極を対向基板側に設け、この対向電極を走査線ごと分割する。そして、素子基板上にあるデータ線と対向基板上にある対向電極（走査線）とが空間的に交差する個所に対応してＴＦＤのような２端子スイッチング素子を素子基板側に配置する。
【００８５】
・上記各実施形態では、電気光学装置を液晶表示装置として説明したが、本発明はこれに限るものではなく、液晶のように交流駆動される電気光学素子を用いた電気光学装置および該電気光学装置を備えた電子機器に対しても適用可能である。
【００８６】
・液晶表示装置の液晶表示パネル２１は、図１０に示すようなパーソナルコンピュータに限らず、携帯電話、デジタルカメラ等の各種の電子機器に適用できる。
【図面の簡単な説明】
【図１】第１実施形態に係る液晶表示装置の液晶表示パネルを示す平面図。
【図２】図１の内部構造を示す断面図。
【図３】液晶表示装置の駆動回路の電気的構成を示す概略構成図。
【図４】走査線駆動回路を示す回路図。
【図５】走査線駆動回路のタイミングチャート。
【図６】データ線駆動回路のタイミングチャート。
【図７】第２実施形態の動作を示すタイミングチャート。
【図８】（ａ）〜（ｃ）は第３実施形態に係る液晶表示装置による表示を示す説明図。
【図９】（ａ）〜（ｃ）は第４実施形態に係る液晶表示装置による表示を示す説明図。
【図１０】液晶表示装置を用いたパーソナルコンピュータを示す斜視図。
【図１１】従来例の動作を示すタイミングチャート。
【符号の説明】
２２…素子基板、２３…対向基板、２４…電気光学素子としての液晶、Ｙ１〜Ｙｎ…走査線、Ｘ１〜Ｘｍ…データ線、２５…画素、２６…スイッチング素子としての薄膜トランジスタ（ＴＦＴ）、２９…画素電極、３０…対向電極としての共通電極、Ｖｓｓ…低い電位、Ｖｄｄ…高い電位、３６…プリチャージ回路、３３…走査線駆動回路、６６…ナンド回路、６９…反転イネーブル信号／ＥＮＢの入力端子。
【図１】
2004109824.tif 000003
【図２】
2004109824.tif 000004
【図３】
2004109824.tif 000005
【図４】
2004109824.tif 000006
【図５】
2004109824.tif 000007
【図６】
2004109824.tif 000008
【図７】
2004109824.tif 000009
【図８】
2004109824.tif 000010
【図９】
2004109824.tif 000011
【図１０】
2004109824.tif 000012
【図１１】
2004109824.tif 000013